(57)【要約】【課題】流量信号に対して、磁界発生手段と測定管との間の絶縁劣化によるスパン誤差を補正することである。【解決手段】電流計１００は、パイプ１内を流れる流体中に臨ませて配設した一対の測定電極４，５と、流体中に臨ませて配設したアース電極６と、流体に対して磁界を発生するコイル３と、コイル３に励磁電流を出力する励磁回路３０と、測定電極４，５から出力される信号に基づいて、流体の流量信号を検出する流量信号検出手段と、コイル３からパイプ１への漏れ電流を検出する漏れ電流検出手段と、励磁回路３０から出力される励磁電流及び前記検出された漏れ電流に基づいてスパン誤差を算出し、当該スパン誤差に基づいて前記検出された流量信号を補正するＣＰＵ２６と、を備える。【選択図】図１
2007263845.tif 000002
【特許請求の範囲】
【請求項１】
測定管内を流れる流体中に臨ませて配設した少なくとも一対の測定電極と、
前記流体中に臨ませて配設したアース手段と、
前記流体に対して磁界を発生する磁界発生手段と、
前記磁界発生手段に励磁電流を出力する励磁手段と、
前記測定電極から出力される信号に基づいて、前記流体の流量信号を検出する流量信号検出手段と、
前記磁界発生手段から前記測定管への漏れ電流を検出する漏れ電流検出手段と、
前記励磁手段から出力される励磁電流及び前記検出された漏れ電流に基づいてスパン誤差を算出し、当該スパン誤差に基づいて前記検出された流量信号を補正する制御手段と、を備えることを特徴とする流量計測装置。
【請求項２】
警報情報を報知する報知手段を備え、
前記制御手段は、前記検出された漏れ電流が所定の閾値以上であるか否かを判別し、当該閾値以上である場合に、前記磁界発生手段と前記測定管との間に絶縁劣化が発生した旨の警報情報を前記報知手段に報知させることを特徴とする請求項１に記載の流量計測装置。
【請求項３】
前記報知手段は、前記警報情報の表示と、前記警報情報の接点出力と、外部機器への前記警報情報の送信と、の少なくとも一つにより報知することを特徴とする請求項２に記載の流量計測装置。
【請求項４】
前記閾値を記憶する記憶手段を備え、
前記制御手段は、前記記憶手段から前記閾値を読み出し、前記検出された漏れ電流が、当該読み出した閾値以上であるか否かを判別することを特徴とする請求項２又は３に記載の流量計測装置。
【請求項５】
測定管内を流れる流体中に臨ませて配設した少なくとも一対の測定電極から出力される信号に基づいて、前記流体の流量信号を検出する工程と、
前記流体に磁界を発生する磁界発生手段から前記測定管への漏れ電流を検出する工程と、
前記磁界発生手段に入力される励磁電流及び前記検出された漏れ電流に基づいてスパン誤差を算出し、当該スパン誤差に基づいて前記検出された流量信号を補正する工程と、を含むことを特徴とする流量計測方法。
【請求項６】
前記検出された漏れ電流が所定の閾値以上であるか否かを判別し、当該閾値以上である場合に、前記磁界発生手段と前記測定管との間に絶縁劣化が発生した旨の警報情報を報知する報知工程と、を含むことを特徴とする請求項５に記載の流量計測方法。
【請求項７】
前記報知工程は、前記警報情報の表示と、前記警報情報の接点出力と、外部機器への前記警報情報の送信と、の少なくとも一つにより報知する工程であることを特徴とする請求項６に記載の流量計測方法。
【請求項８】
前記制御工程において、前記閾値を記憶する記憶手段から当該閾値を読み出し、前記検出された漏れ電流が当該読み出した閾値以上であるか否かを判別することを特徴とする請求項６又は７に記載の流量計測方法。
【発明の詳細な説明】
【技術分野】
【０００１】
本発明は、流量計測装置及び流量計測方法に関する。
【背景技術】
【０００２】
従来、パイプ中を流れる流体の流量を計測する電磁流量計が実施されている（例えば、特許文献１、２参照）。
【０００３】
図２に、従来の電磁流量計１００Ａの構成を示す。図２に示すように、電磁流量計１００Ａは、流量信号ｅｓａ，ｅｓｂを検出する検出部１０Ａと、検出した流量信号ｅｓａ，ｅｓｂから流量信号ｅｓを生成する信号変換部２０Ａと、から構成されている。
【０００４】
検出部１０Ａは、流体を流すことができる金属性のパイプ１と、このパイプ１の内面を絶縁するライニング２と、パイプ１の外側に配置され、磁界を発生させるための一対のコイル３と、パイプ１内に自由端部側が臨んだ状態で配置し、且つ流量信号を検出することができる一対の測定電極４，５と、パイプ１内であって一対の測定電極４，５のそれぞれから同等位置に配置し、且つ流量信号を測定するための基準電位となるアース電極６と、から構成されている。パイプ１とアース電極６とは、電気的に接続されている。
【０００５】
一対の測定電極４，５は、その自由端部側がパイプ１内を流れる流体と接液して第１及び第２の流量信号ｅｓａ、ｅｓｂを検出する構成になっており、その基端部側は流体が漏れないようにシールされていると共に金属性のパイプ１からも絶縁された構造となっている。
【０００６】
信号変換部２０Ａは、一対の測定電極４，５で検出した第１及び第２の流量信号ｅｓａ、ｅｓｂを入力して増幅する第１及び第２の入力増幅器２１、２２と、この第１及び第２の入力増幅器２１、２２の出力信号を入力し、その差を検出する差動増幅器２３と、差動増幅器２３で得られた信号から直流成分を除去するハイパスフイルタ２４と、ハイパスフイルタ２４を透過した透過信号成分をデジタル信号に変換するＡ／Ｄ（Analog to Digital）変換部２５と、このデジタル信号を入力し演算処理して流量信号を生成するＣＰＵ（Central Processing Unit）２６Ａと、実行プログラムを格納するＲＯＭ（Read Only Memory）２７Ａと、ＣＰＵ２６Ａで演算するために必要な一時的なデータを格納するＲＡＭ（Random Access Memory）２８と、スパン及び口径等の設定値を格納するＥＥＰＲＯＭ（Electrically Erasable Programmable ROM）２９と、流量信号ｅｓを示す規格化された電流を出力する電流出力部３６と、流量信号ｅｓを示す規格化された信号を出力するパルス出力部３７と、ＣＰＵ２６からの制御信号を受けて一対のコイル３に印加する励磁電流を制御及び供給する励磁回路３０と、から構成されている。
【０００７】
このような構成の電磁流量計１００Ａにおいて、内面が絶縁されたパイプ１の内径Ｄ、パイプ１内を流れる流体の平均速度ｖ、これに直交する向きに印加する磁界の磁束密度Ｂとすると、流量信号ｅｓは次式（１）により算出される。
ｅｓ＝ｋＢｖＤ  …（１）
但し、ｋは定数である。流量信号ｅｓは流れ方向と磁界の向きの両方に直交する向きに発生する。
【０００８】
一対の測定電極４，５により検出された第１及び第２の流量信号ｅｓａ、ｅｓｂは、十分な入力インピーダンスを持った第１及び第２の入力増幅器２１、２２に各々入力される。第１及び第２の入力増幅器２１、２２の各出力は差動増幅器２３に入力されてコモンモードノイズが除去され、更に、ハイパスフイルタ２４に入力されて直流成分が除去される。このように各種のノイズが流量信号から除去された後に、Ａ／Ｄ変換部２５に入力されデジタル値に変換され、ＣＰＵ２６により流量信号ｅｓが生成されて電流出力部３６及びパルス出力部３７から規格化された電流信号として出力される。
【特許文献１】特開２００３−９７９８６号公報
【特許文献２】特開２００２−１９５８６１号公報
【発明の開示】
【発明が解決しようとする課題】
【０００９】
従来の電磁流量計１００Ａにおいては、コイル３とパイプ１との間の絶縁が劣化すると、コイル３からパイプ１に励磁電流の漏れ電流が流れ、コイル３で発生させる磁界の磁束密度Ｂが減少する。このため、発生する流量信号も減少し、検出する流量信号にスパン誤差を生じる。
【００１０】
しかしながら、特許文献２に記載の構成など、従来の電磁流量計では、流量信号に対して、コイル３とパイプ１との間の絶縁劣化によるスパン誤差を補正できなかった。
【００１１】
本発明の課題は、流量信号に対して、磁界発生手段と測定管との間の絶縁劣化によるスパン誤差を補正することである。また、一定以上に絶縁劣化が進行した場合は、絶縁劣化の警報を発生させることである。
【課題を解決するための手段】
【００１２】
上記課題を解決するため、請求項１に記載の発明の流量計測装置は、
測定管内を流れる流体中に臨ませて配設した少なくとも一対の測定電極と、
前記流体中に臨ませて配設したアース手段と、
前記流体に対して磁界を発生する磁界発生手段と、
前記磁界発生手段に励磁電流を出力する励磁手段と、
前記測定電極から出力される信号に基づいて、前記流体の流量信号を検出する流量信号検出手段と、
前記磁界発生手段から前記測定管への漏れ電流を検出する漏れ電流検出手段と、
前記励磁手段から出力される励磁電流及び前記検出された漏れ電流に基づいてスパン誤差を算出し、当該スパン誤差に基づいて前記検出された流量信号を補正する制御手段と、を備えることを特徴とする。
【００１３】
請求項２に記載の発明は、請求項１に記載の流量計測装置において、
警報情報を報知する報知手段を備え、
前記制御手段は、前記検出された漏れ電流が所定の閾値以上であるか否かを判別し、当該閾値以上である場合に、前記磁界発生手段と前記測定管との間に絶縁劣化が発生した旨の警報情報を前記報知手段に報知させることを特徴とする。
【００１４】
請求項３に記載の発明は、請求項２に記載の流量計測装置において、
前記報知手段は、前記警報情報の表示と、前記警報情報の接点出力と、外部機器への前記警報情報の送信と、の少なくとも一つにより報知することを特徴とする。
【００１５】
請求項４に記載の発明は、請求項２又は３に記載の流量計測装置において、
前記閾値を記憶する記憶手段を備え、
前記制御手段は、前記記憶手段から前記閾値を読み出し、前記検出された漏れ電流が、当該読み出した閾値以上であるか否かを判別することを特徴とする。
【００１６】
請求項５に記載の発明の流量計測方法は、
測定管内を流れる流体中に臨ませて配設した少なくとも一対の測定電極から出力される信号に基づいて、前記流体の流量信号を検出する工程と、
前記流体に磁界を発生する磁界発生手段から前記測定管への漏れ電流を検出する工程と、
前記磁界発生手段に入力される励磁電流及び前記検出された漏れ電流に基づいてスパン誤差を算出し、当該スパン誤差に基づいて前記検出された流量信号を補正する工程と、を含むことを特徴とする。
【００１７】
請求項６に記載の発明は、請求項５に記載の流量計測方法において、
前記検出された漏れ電流が所定の閾値以上であるか否かを判別し、当該閾値以上である場合に、前記磁界発生手段と前記測定管との間に絶縁劣化が発生した旨の警報情報を報知する報知工程と、を含むことを特徴とする。
【００１８】
請求項７に記載の発明は、請求項６に記載の流量計測方法において、
前記報知工程は、前記警報情報の表示と、前記警報情報の接点出力と、外部機器への前記警報情報の送信と、の少なくとも一つにより報知する工程であることを特徴とする。
【００１９】
請求項８に記載の発明は、請求項６又は７に記載の流量計測方法において、
前記制御工程において、前記閾値を記憶する記憶手段から当該閾値を読み出し、前記検出された漏れ電流が当該読み出した閾値以上であるか否かを判別することを特徴とする。
【発明の効果】
【００２０】
請求項１、５に記載の発明によれば、磁界発生手段から測定管への漏れ電流を検出でき、励磁電流及び漏れ電流に基づいて、流量信号に対して、磁界発生手段と測定管との間の絶縁劣化によるスパン誤差を補正できる。また、流量信号の測定と同時に、その流量信号を補正できる。
【００２１】
請求項２、６に記載の発明によれば、磁界発生手段と測定管との間の絶縁劣化発生を判別でき、その絶縁劣化発生の警報情報を報知できる。また、流量信号の測定と同時に、その警報情報を報知できる。
【００２２】
請求項３、７に記載の発明によれば、管理者等が、磁界発生手段と測定管との間の絶縁劣化発生の警報情報を、視覚または外部機器の応答により知ることができる。
【００２３】
請求項４、８に記載の発明によれば、記憶手段から閾値を容易に読み出すことができ、磁界発生手段と測定管との間の絶縁劣化発生の判別に使用することができる。
【発明を実施するための最良の形態】
【００２４】
以下、添付図面を参照して本発明に係る実施の形態を詳細に説明する。ただし、発明の範囲は、図示例に限定されない。
【００２５】
図１を参照して、本実施の形態の流量計測装置としての電磁流量計１００を説明する。尚、図２で説明した電磁流量計１００Ａと同じ部品に関しては同一符号を付与して説明する。
【００２６】
本実施の形態の電磁流量計１００は、検出部１０と、信号変換部２０と、を備えて構成される。
【００２７】
検出部１０は、パイプ１内を流れる導電性の流体の流量信号を検出する。信号変換部２０は、検出部１０のコイル３に励磁電流Ｉｅｘを入力し、検出部１０で検出されて入力された流量信号ｅｓａ，ｅｓｂを信号処理して流量信号ｅｓを取得して出力するとともに、励磁電流Ｉｅｘの漏れ電流ΔＩｅｘが所定閾値以上の場合に報知する。
【００２８】
検出部１０は、測定管としてのパイプ１と、ライニング２と、磁界発生手段としてのコイル３と、測定電極４，５と、アース手段としてのアース電極６と、を備えて構成される。
【００２９】
パイプ１は、流体を流すことができる金属性のパイプである。ライニング２は、パイプ１の内面に配置されるフッ素樹脂やゴム等の絶縁層である。コイル３は、パイプ１の外側に配置され、磁界を発生させるための一対のコイルである。
【００３０】
測定電極４，５は、パイプ１内に自由端部側が臨んだ状態で配置され、流量信号を検出するための一対の測定電極である。更に具体的には、一対の測定電極４，５は、その自由端部側が流体と接液して、それぞれ第１の流量信号ｅｓａ、第２の流量信号ｅｓａを検出して出力する構成になっており、その基端部側は流体が検出部本体に浸入しないようにシールされていると共に金属性のパイプ１からも絶縁された構造となっている。
【００３１】
アース電極６は、一対の測定電極４，５のそれぞれから同等距離位置に配置され、且つ流量信号を検出するための基準電位となる。なお、アース手段は、アース電極の６の代りにアースリング（図示せず）であっても同等の構成となる。
【００３２】
本実施の形態において、電磁流量計１００では、コイル３とパイプ１との間に絶縁劣化が生じているものとする。この絶縁劣化を、コイル３とパイプ１との間の等価抵抗７として表すこととする。
【００３３】
信号変換部２０は、流量信号検出手段としての第１及び第２の入力増幅器２１、２２、差動増幅器２３、ハイパスフイルタ２４及びＡ／Ｄ変換部２５と、ＣＰＵ２６と、ＲＯＭ２７と、ＲＡＭ２８と、記憶手段としてのＥＥＰＲＯＭ２９と、励磁手段としての励磁回路３０と、アース３１と、漏れ電流検出手段としてのセンシング抵抗３２、アース３３、増幅器３４及びＡ／Ｄ変換部３５と、電流出力部３６と、パルス出力部３７と、報知手段としての表示部３８、アラーム出力部３９及び通信部４０と、を備えて構成される。
【００３４】
第１及び第２の入力増幅器２１、２２は、それぞれ、測定電極４，５から入力される第１及び第２の流量信号ｅｓａ、ｅｓｂを増幅して出力する。なお、電磁流量計１００の信号源インピーダンスは、最大１ＭΩ程度となる。
【００３５】
差動増幅器２３は、第１及び第２の入力増幅器２１、２２から入力される第１及び第２の流量信号ｅｓａ、ｅｓｂの増幅信号の差を検出して出力する。ハイパスフイルタ２４は、差動増幅器２３から入力される第１及び第２の流量信号ｅｓａ、ｅｓｂの増幅信号の差信号の直流成分を除去して出力する。Ａ／Ｄ変換部２５は、ハイパスフイルタ２４を透過した差信号の透過信号成分をデジタル信号に変換して流量信号ｅｓとして出力する。
【００３６】
ＣＰＵ２６は、ＲＯＭ２７に記憶された各種プログラムに従い、入出力回路、励磁回路の制御や、流量演算、補正演算を行う。
【００３７】
ＣＰＵ２６は、励磁回路３０を制御してコイル３から磁界を発生させ、Ａ／Ｄ変換部２５から出力された流量信号ｅｓを取得する。また、ＣＰＵ２６は、制御プログラムとの協働で、流量信号ｅｓの取得とともに、励磁回路３０から入力される励磁電流値Ｉｅｘと、Ａ／Ｄ変換部３５から入力される漏れ電流値ΔＩｅｘに対応する電圧とに基づいて、スパン誤差εを算出して流量信号ｅｓをスパン誤差補正して、電流出力部３６、パルス出力部３７に、流量信号ｅｓを電流パルスとして出力させる。また、ＣＰＵ２６は、制御プログラムとの協働で、流量信号ｅｓの取得とともに、漏れ電流値ΔＩｅｘが所定閾値以上の場合に、表示部３８、アラーム出力部３９、通信部４０を介して、コイル３とパイプ１との間の絶縁劣化が発生した旨の警報情報を報知させる。
【００３８】
ＲＯＭ２７は、制御プログラムを含む各種プログラム及びデータを格納する。ＲＡＭ２８は、ＣＰＵ２６で演算するために必要な一時的なデータを格納する。ＥＥＰＲＯＭ２９は、電気的にデータが読み書き可能な不揮発メモリであり、スパン及び口径等の設定値を格納するとともに、流量信号ｅｓのスパン誤差補正が可能か否かを判別するための漏れ電流ΔＩｅｘの閾値を格納する。
【００３９】
励磁回路３０は、ＣＰＵ２６の制御により、コイル３を励磁させる励磁電流Ｉｅｘをコイル３に出力するとともに、励磁電流Ｉｅｘの電流値を示す信号をＣＰＵ２６に出力する。
【００４０】
センシング抵抗３２は、コイル３からパイプ１に流れる漏れ電流を電圧として検出するための抵抗である。このセンシング抵抗３２の電圧は、漏れ電流ΔＩｅｘに対応する電圧である。増幅器３４は、センシング抵抗３２にかかる微弱な電圧を増幅して出力する。増幅器３４は、センシング抵抗３２にかかる微弱な電圧を増幅して出力する。Ａ／Ｄ変換部３５は、増幅器３４で増幅された電圧を、デジタル信号に変換して、漏れ電流値ΔＩｅｘに対応する電圧として出力する。
【００４１】
電流出力部３６は、ＣＰＵ２６の制御により、スパン誤差補正後の流量信号ｅｓｃの規格化した電流信号を出力する。パルス出力部３７は、ＣＰＵ２６の制御により、スパン誤差補正後の流量信号ｅｓｃを規格化して出力する。
【００４２】
表示部３８は、ＬＣＤ（Liquid Crystal Display）等の表示部を備え、ＣＰＵ２６の制御により、流量信号ｅｓのスパン誤差補正が不可能である旨の警報情報を表示する。アラーム出力部３９は、ＣＰＵ２６の制御により、流量信号ｅｓのスパン誤差補正が不可能である旨の警報情報を、スイッチのＯＮ／ＯＦＦで伝達し、遠く離れた計器室の警報を鳴らせてランプを点灯させる。通信部４０は、図示しない通信回線を介して外部機器との通信を行う。例えば、通信部４０は、ＣＰＵ２６の制御により、流量信号ｅｓのスパン誤差補正が不可能である旨の警報情報を外部機器（計器室）に送信する。
【００４３】
次いで、電磁流量計１００の動作を説明する。先ず、電磁流量計１００において流量を測定する際に、検出部１０の一対の測定電極４，５からの第１及び第２流量信号ｅｓａ、ｅｓｂに基づいてデジタル化した流量信号ｅｓ（＝ｅｓａ−ｅｓｂ）がＡ／Ｄ変換部２５から出力される。そして、ＣＰＵ２６において、流量が演算されるが、流量信号ｅｓは個体差があるため、実流校正によりこれを補正するための定数（補正定数値）を求める。この補正定数値は、ＣＰＵ２６によりＥＥＰＲＯＭ２９に格納される。
【００４４】
これらのＥＥＰＲＯＭ２９に格納されている補正定数値は、正しい流量信号の出力を得るための演算を行うときに使用される。
【００４５】
ＣＰＵ２６により、励磁回路３０が制御されてコイル３が励磁されるとともに、励磁回路３０から励磁電流Ｉｅｘが取得される。この場合、第１及び第２の測定電極５、６からの第１及び第２の流量信号ｅｓａ、ｅｓｂの差から得られて直流成分除去及びデジタル化された流量信号ｅｓがＡ／Ｄ変換部２５からＣＰＵ２６に出力される。これと同時に、コイル３からパイプ１への漏れ電流ΔＩｅｘの電圧が増幅及びデジタル化されてＡ／Ｄ変換部３５からＣＰＵ２６に出力される。
【００４６】
そして、ＣＰＵ２６により、ＥＥＰＲＯＭ２９から上記個体差の補正定数値が読み出され、当該補正定数値に基づいて流量信号ｅｓが補正されるとともに、スパン誤差εが次式（３）により算出される。
ε＝Ｉｅｘ／ΔＩｅｘ  …（３）
【００４７】
そして、ＣＰＵ２６により、スパン誤差補正後の流量信号ｅｓｃが流量信号ｅｓを用いて次式（４）により算出される。
ｅｓｃ＝ｅｓ／（１−ε）  …（４）
【００４８】
また、漏れ電流（の大きさ）ΔＩｅｘがある程度以上になると、スパン誤差補正も不正確となる。このため、ＣＰＵ２６により、予め設定されて記憶された漏れ電流ΔＩｅｘの閾値がＥＥＰＲＯＭ２９から読み出され、漏れ電流ΔＩｅｘが、読み出した閾値以上であるか否かが判別される。ＣＰＵ２６により、漏れ電流ΔＩｅｘが閾値より大きいと判別された場合に、コイル３とパイプ１との間に絶縁劣化が発生したものとして、その絶縁劣化発生を示す警報情報が、表示部３８に表示、アラーム出力部３９によりアラーム出力、通信部４０により外部機器（例えば上位機器）へ送信、の少なくとも一つで報知される。この絶縁劣化の判別は、１回ではなく、複数回のデータを平均して、コイル３とパイプ１との間の確実な絶縁劣化の現象を判別することができる。
【００４９】
以上、本実施の形態によれば、測定電極４，５から出力される流量信号ｅｓａ，ｅｓｂに基づいて、パイプ１中を流れる流体の流量信号ｅｓを検出し、コイル３からパイプ１への漏れ電流ΔＩｅｘを検出し、励磁回路３０から出力される励磁電流Ｉｅｘと検出された漏れ電流ΔＩｅｘとに基づいてスパン誤差εを算出し、スパン誤差εに基づいて、検出された流量信号ｅｓを補正して流量信号ｅｓｃとして電流出力部３６及びパルス出力部３７から出力する。このため、コイル３からパイプ１への漏れ電流ΔＩｅｘを検出でき、励磁電流Ｉｅｘ及び漏れ電流ΔＩｅｘに基づいて、流量信号ｅｓに対して、コイル３とパイプ１との間の絶縁劣化によるスパン誤差εを補正できる。また、流量信号ｅｓの測定と同時に、流量信号ｅｓをスパン誤差補正できる。
【００５０】
また、漏れ電流ΔＩｅｘが所定の閾値以上であるか否かを判別し、所定の閾値以上である場合に、流量信号ｅｓのスパン誤差補正が不可能であり、コイル３とパイプ１との間に絶縁劣化が発生した旨の警報情報を報知する。このため、コイル３とパイプ１との間の絶縁劣化発生を判別でき、その絶縁劣化発生の警報情報を報知できる。また、流量信号ｅｓの測定と同時に、警報情報を報知できる。
【００５１】
さらに、コイル３とパイプ１との間の絶縁劣化発生の警報情報を、表示部３８、アラーム出力部３９、通信部４０を介して報知する。このため、管理者等が、警報情報を視覚または外部機器の応答により知ることができる。
【００５２】
また、漏れ電流ΔＩｅｘの閾値をＥＥＰＲＯＭ２９に記憶する。このため、ＥＥＰＲＯＭ２９から閾値を容易に読み出すことができ、コイル３とパイプ１との間の絶縁劣化発生の判別に使用することができる。
【００５３】
なお、上記実施の形態における記述は、本発明に係る流量計測装置及び流量計測方法の一例であり、これに限定されるものではない。
【００５４】
例えば、上記実施の形態では、漏れ電流ΔＩｅｘの電圧の検出用に、センシング抵抗３２を設ける構成としたが、これに限定されるものではない。例えば、電流値を測定する素子としてのカレントトランス等の別の手段を用いる構成としてもよい。
【００５５】
また、上記実施の形態では、漏れ電流ΔＩｅｘを検出して増幅後にＡ／Ｄ変換部３５でデジタル値に変換する構成としたが、これに限定されるものではない。例えば、流量信号ｅｓ用のＡ／Ｄ変換部２５をタイムシェアリングして漏れ電流ΔＩｅｘのデジタル化に共用する構成としてもよい。
【００５６】
また、上記実施の形態では、漏れ電流ΔＩｅｘをＡ／Ｄ変換部３５でデジタル値に変換する構成としたが、これに限定されるものではない。例えば、漏れ電流ΔＩｅｘをアナログ信号のまま用いてスパン誤差εの算出等の演算を行う構成としてもよい。
【００５７】
さらに、上記実施の形態において、測定電極が複数対で形成される構成であってもよい。
【００５８】
その他、上記実施の形態における電磁流量計１００の細部構成及び詳細動作に関しても、本発明の趣旨を逸脱しない範囲で適宜変更可能である。
【図面の簡単な説明】
【００５９】
【図１】本発明に係る実施の形態の電磁流量計１００の構成を示す図である。
【図２】従来の電磁流量計１００Ａの構成を示す図である。
【符号の説明】
【００６０】
１００，１００Ａ  電磁流量計
１０，１０Ａ  検出部
１  パイプ
２  ライニング
３  コイル
４，５  測定電極
６  アース電極
７  等価抵抗
２０，２０Ａ  信号変換部
２１  第１の入力増幅器
２２  第２の入力増幅器
２３  差動増幅器
２４  ハイパスフイルタ
２５  Ａ／Ｄ変換部
２６，２６Ａ  ＣＰＵ
２７，２７Ａ  ＲＯＭ
２８  ＲＡＭ
２９  ＥＥＰＲＯＭ
３０  励磁回路
３１  アース
３２  センシング抵抗
３３  アース
３４  増幅器
３５  Ａ／Ｄ変換部
３６  電流出力部
３７  パルス出力部
３８  表示部
３９  アラーム出力部
４０  通信部
【図１】
2007263845.tif 000003
【図２】
2007263845.tif 000004